(57)【要約】【課題】見栄え及び間取りに悪影響を与えることなくブレースを接合することができる屋根架構構造を提供する。【解決手段】架構構造１は、鋼管柱１１と、鋼管柱１１に接合される棟梁１７と、鋼管柱１１と棟梁１７との間に架設されるブレース２５と、を備え、鋼管柱１１の側面１１ｃとブレース２５の下端部２５ｂに亘って接合部３０が形成され、接合部３０の幅は、鋼管柱１１の幅Ｗ２よりも小さい。このため、鋼管柱１１の周りの構造が、当該接合部３０の存在によって鋼管柱１１の幅Ｗ２よりも大きなものとなることを回避することができる。その結果、当該接合部３０の存在による見栄え及び間取りに悪影響を与えることなくブレース２５を接合することができる。【選択図】図７
2015108242.tif 000002
【特許請求の範囲】
【請求項１】
鋼柱と、
前記鋼柱に接合される梁と、
前記鋼柱と前記梁との間に架設されるブレースと、
を備え、
前記鋼柱の側面と前記ブレースの下端部に亘って接合部が形成され、
前記接合部の幅は、前記鋼柱の幅よりも小さい、
架構構造。
【請求項２】
前記接合部は、前記鋼柱の側面に突設される柱側接合片と、前記ブレースの下端部に取り付けられるブレース側接合片と、を有し、
前記柱側接合片及び前記ブレース側接合片のうち、一方の接合片が板状に形成され、他方の接合片は、前記一方の接合片の一方の面に対向する第１対向面部と、前記一方の接合片の他方の面に対向する第２対向面部と、を含む、
請求項１に記載の架構構造。
【請求項３】
前記一方の接合片は前記柱側接合片であり、前記他方の接合片は前記ブレース側接合片であり、
前記柱側接合片は、前記鋼柱の側面の幅方向中央となる位置で前記鋼柱の軸心に沿って上下に延在する接合板部を含む、
請求項２に記載の架構構造。
【請求項４】
前記鋼柱は、閉断面の鋼管により形成される柱本体部と、前記柱本体部の下端部に形成される開断面の柱脚部と、を有し、
前記柱側接合片は、前記柱本体部と前記柱脚部とに亘って設けられて溶接固定されている、請求項３に記載の架構構造。
【請求項５】
前記柱側接合片は、前記柱本体部の側面に溶接固定される板状の補強部を含んでおり、
前記接合板部は、前記補強部に固定されている、
請求項４に記載の架構構造。
【請求項６】
前記ブレースは、ブレース本体部と、前記ブレース本体部の上端部に取り付けられる梁接合部と、を有し、
前記ブレース本体部は鋼管により形成されており、前記鋼管の下端部に前記ブレース側接合片が溶接固定されている、
請求項３から５の何れか一項に記載の架構構造。
【請求項７】
前記ブレース本体部の下端部には、前記ブレース本体部の軸心に対して線対称となる位置に一対の切欠き部が形成され、
前記一対の切欠き部に前記ブレース側接合片が貫入した状態で溶接固定されている、
請求項６に記載の架構構造。
【請求項８】
２本の前記鋼柱の間に前記ブレースが１か所にのみ設置されている、
請求項１〜７の何れか一項に記載の架構構造。
【請求項９】
前記ブレースは、前記鋼柱と棟梁との間に架設される、
請求項１〜８の何れか一項に記載の架構構造。
【発明の詳細な説明】
【技術分野】
【０００１】
本発明は、住宅等の建物における架構構造に関する。
【背景技術】
【０００２】
従来、地震による水平力に抵抗するため、柱及び梁で構成される架構構造に対して、ブレースを配した構造が知られている。例えば、特許文献１には、閉断面の角形鋼管柱にブレースの端部を接合する構造が開示されている。この構造では、角形鋼管柱の架構面と平行な二側面、及び架構面と垂直な片側の側面を含む片側半周部分に、ブレースの取付角度と同一角度で、架構面と垂直に突出する接合板が溶接されている。ブレースの端部は、接合板の端部と同一平面上にあり、添接板を介してボルトにより機械的に接合されている。
【先行技術文献】
【特許文献】
【０００３】
【特許文献１】特開２００１−６５０６４号公報
【発明の概要】
【発明が解決しようとする課題】
【０００４】
上記特許文献１に記載の構造では、角形鋼管柱の架構面と平行な二側面側にまで、接合板が回り込んで溶接されている。このため、角形鋼管柱の周りの構造が、当該接合板の存在によって柱幅よりも大きなものとなってしまう。当該接合板が壁外に現れていると、見栄えが悪化する。一方、当該接合板ごと壁内に収めようとすると、壁厚が増してしまい、間取りに悪影響を与える。
【０００５】
そこで、本発明は、見栄え及び間取りに悪影響を与えることなくブレースを接合することができる屋根架構構造を提供することを課題とする。
【課題を解決するための手段】
【０００６】
上記課題を解決するため、本発明に係る架構構造は、鋼柱と、鋼柱に接合される梁と、鋼柱と梁との間に架設されるブレースと、を備え、鋼柱の側面とブレースの下端部に亘って接合部が形成され、接合部の幅は、鋼柱の幅よりも小さいことを特徴とする。
【０００７】
本発明の架構構造では、接合部の幅が鋼柱の幅よりも小さいので、鋼柱の周りの構造が、当該接合部の存在によって鋼柱の幅よりも大きなものとなることを回避することができる。その結果、当該接合部の存在による見栄え及び間取りに悪影響を与えることなくブレースを接合することができる。
【０００８】
また、接合部は、鋼柱の側面に突設される柱側接合片と、ブレースの下端部に取り付けられるブレース側接合片と、を有し、柱側接合片及びブレース側接合片のうち、一方の接合片が板状に形成され、他方の接合片は、一方の接合片の一方の面に対向する第１対向面部と、一方の接合片の他方の面に対向する第２対向面部と、を含んでもよい。この場合、板状の一方の接合片が、他方の接合片の第１対向面部及び第２対向面部と対向しているので、一方の接合片は、面に対して垂直な方向の変形に対し両面側から等しく拘束を受けるものとなる。よって、いずれの方向からの面外力に対しても十分に抵抗可能となる。
【０００９】
また、一方の接合片は柱側接合片であり、他方の接合片はブレース側接合片であり、柱側接合片は、鋼柱の側面の幅方向中央となる位置で鋼柱の軸心に沿って上下に延在する接合板部を含んでもよい。この場合、鋼柱の側面の幅方向中央となる位置で、ブレース側接合片を受けることができるので、鋼柱とブレースとの間での荷重伝達に偏芯がない。
【００１０】
また、鋼柱は、閉断面の鋼管により形成される柱本体部と、柱本体部の下端部に形成される開断面の柱脚部と、を有し、柱側接合片は、柱本体部と柱脚部とに亘って設けられて溶接固定されていてもよい。この場合、柱側接合片は、柱本体部及び柱脚部のいずれにも溶接固定されているので、柱側接合片の上端部から下端部に亘って柱との間で荷重伝達を行うことができる。特に、柱側接合片は開断面の柱脚部にも溶接固定されているので、柱脚部への荷重伝達を確実なものとすることができる。
【００１１】
また、柱側接合片は、柱本体部の側面に溶接固定される板状の補強部を含んでおり、接合板部は、補強部に固定されていてもよい。この場合、補強部によって鋼柱における荷重伝達部の厚みが増大するため、鋼柱の孕みを抑制することが可能となる。
【００１２】
また、ブレースは、ブレース本体部と、ブレース本体部の上端部に取り付けられる梁接合部と、を有し、ブレース本体部は鋼管により形成されており、鋼管の下端部にブレース側接合片が溶接固定されていてもよい。この場合、本体部が鋼管により形成されていることにより、引張に対してのみならず、圧縮に対しても抵抗することができる。その結果、全体座屈し難いものとなり、ブレースとしての性能が向上する。
【００１３】
また、ブレース本体部の下端部には、ブレース本体部の軸心に対して線対称となる位置に一対の切欠き部が形成され、一対の切欠き部にブレース側接合片が貫入した状態で溶接固定されていてもよい。この場合、切欠き部にブレース側接合片が貫入した状態で溶接固定されているので、ブレース側接合片の溶接長を確保することができる。その結果、ブレースの本体部とブレース側接合片との接合強度を確保でき、本体部とブレース側接合片との荷重伝達をスムーズにすることが可能となる。
【００１４】
また、２本の鋼柱の間にブレースが１か所にのみ設置されていてもよい。この場合、鋼柱及び梁の断面を従来のラーメン架構構造に比して小さく設計することが可能であり、かつ、鋼柱の間における開口の自由度を高めることができるとともに、下部構造への影響も抑制することができる。
【００１５】
また、ブレースは、鋼柱と棟梁との間に架設されてもよい。この場合、本発明に係る架構構造を屋根架構構造として用いることができる。
【発明の効果】
【００１６】
本発明によれば、見栄え及び間取りに悪影響を与えることなくブレースを接合することができる屋根架構構造を提供することができる。
【図面の簡単な説明】
【００１７】
【図１】本発明の実施形態に係る架構構造を有する建物の斜視図である。
【図２】本発明の実施形態に係る架構構造の概略斜視図である。
【図３】図１中の鋼管柱、棟梁、及びブレースを示す正面図である。
【図４】（ａ）及び（ｂ）は、柱側接合片周辺部の構成を示す図である。
【図５】（ａ）及び（ｂ）は、ブレース側接合片周辺部の構成を示す図である。
【図６】図２の接合部を拡大して示す正面図である。
【図７】図５に示す矢印Ｘ方向から見た図である。
【図８】種々の架構構造の特徴を示す模式図である。
【発明を実施するための形態】
【００１８】
以下、添付図面を参照して、本発明の好適な実施形態について詳細に説明する。なお、説明において、同一要素又は同一機能を有する要素には、同一符号を用いることとし、重複する説明は省略する。
【００１９】
図１及び図２を参照して、本実施形態に係る架構構造の概要について説明する。本実施形態に係る架構構造１は、例えば屋根架構構造であり、住宅等の建物に設けられて屋上に突き出た部分である。架構構造１は、特に、勾配天井（吹き抜け）、小屋裏収納、ロフト、ペントハウス、等に用いられる。たとえば、図１に示すように、架構構造１は、二階建ての建物本体２の屋上に設けられたユニット６に用いられ、建物本体２を構成する梁などの下部構造２ａに支持されている。ユニット６は、架構構造１と、当該架構構造１によって構成される勾配屋根面７と、当該勾配屋根面７に取り付けられたトップライト８と、を有している。
【００２０】
図２に示すように、架構構造１は、一対の鋼管柱１１，１５（鋼柱）と、鋼管柱１１，１５に架設される棟梁１７（梁）と、棟梁１７に架設される４本の登り梁１８〜２１と、を備えている。鋼管柱１１，１５は、たとえば鉛直方向に延在している。鋼管柱１１，１５の下端部１１ｂ，１５ｂは、それぞれ下部構造２ａに支持されている。鋼管柱１１と鋼管柱１５とは、一対となって一直線状に配置されている。鋼管柱１１，１５には、鋼管柱１１の上端部１１ａと鋼管柱１５の上端部１５ａとに、棟梁１７が略水平に架け渡されている。
【００２１】
棟梁１７は、一方の端部１７ａが鋼管柱１１の上端部１１ａに支持され、他方の端部１７ｂが鋼管柱１５の上端部１５ａに支持されている。棟梁１７の長さ方向において、所定間隔で登り梁１８〜２１が配置されている。
【００２２】
登り梁１８は、基端部１８ｂから先端部１８ａへ向かって登り勾配を有する傾斜状となるように、下部構造２ａと棟梁１７の端部１７ａとに架設されている。登り梁１８の先端部１８ａは、棟梁１７の端部１７ａに連結されると共に、鋼管柱１１の上端部１１ａに連結されている。登り梁１８の基端部１８ｂは、下部構造２ａに連結されている。
【００２３】
登り梁１９は、基端部１９ｂから先端部１９ａへ向かって登り勾配を有する傾斜状となるように、下部構造２ａと棟梁１７の長さ方向中途部１７ｃとに架設されている。登り梁１９の先端部１９ａは、棟梁１７の長さ方向中途部１７ｃに連結されている。登り梁１９の基端部１９ｂは、下部構造２ａに連結されている。言い換えれば、棟梁１７の長さ方向中途部１７ｃは、登り梁１９の先端部１９ａによって支持されている。
【００２４】
登り梁２０は、基端部２０ｂから先端部２０ａへ向かって登り勾配を有する傾斜状となるように、下部構造２ａと棟梁１７の長さ方向中途部１７ｄとに架設されている。登り梁２０の先端部２０ａは、棟梁１７の長さ方向中途部１７ｄに支持されている。登り梁２０の基端部２０ｂは、下部構造２ａに連結されている。言い換えれば、棟梁１７の長さ方向中途部１７ｄは、登り梁２０の先端部２０ａによって支持されている。
【００２５】
登り梁２１は、基端部２１ｂから先端部２１ａへ向かって登り勾配を有する傾斜状となるように、下部構造２ａと棟梁１７の端部１７ｂとに架設されている。登り梁２１の先端部２１ａは、棟梁１７の端部１７ｂに連結されると共に、鋼管柱１５の上端部１５ａに連結されている。登り梁２１の基端部２１ｂは、下部構造２ａに連結されている。
【００２６】
登り梁１８〜２１の中途部には、振れ止め４０〜４５が取り付けられている。振れ止め４０〜４５は、各梁間を渡る小梁である。振れ止め４０，４３は、登り梁１８と登り梁１９との間を繋いでいる。振れ止め４１，４４は、登り梁１９と登り梁２０との間を繋いでいる。振れ止め４２，４５は、登り梁２０と登り梁２１との間を繋いでいる。
【００２７】
棟梁１７、登り梁１８〜２１、及び、振れ止め４０〜４５により、複数の屋根面領域が画成されている。複数の屋根面領域に屋根パネル等が取り付けられることで、ユニット６の勾配屋根面７（図１参照）が構成されている。複数の屋根面領域のうち、中央に位置する領域には、トップライトパネル４７が取り付けられている。トップライトパネル４７は、採光又は通風のため、架構構造１に設置される天窓パネルであり、当該パネルにユニット６のトップライト８が取り付けられている。また、当該屋根面領域のうち、トップライトパネル４７が取り付けられていない領域には、それぞれクロス状の勾配面ブレース５０〜５７が取り付けられている。
【００２８】
鋼管柱１１と棟梁１７との間には、方杖型のブレース２５が架設されている。ブレース２５は、鋼管柱１１の下端部１１ｂと棟梁１７の長さ方向中途部１７ｃとの間で斜めに延在している。ブレース２５の上端部２５ａは、棟梁１７の長さ方向中途部１７ｃに支持され、ブレース２５の下端部２５ｂは、鋼管柱１１の下端部１１ｂに支持されている。なお、ブレース２５は、鋼管柱１１と棟梁１７との間に限らず、鋼管柱１１と棟梁１７との間に代えて鋼管柱１５と棟梁１７との間に架設されてもよく、鋼管柱１１と棟梁１７との間に加えて鋼管柱１５と棟梁１７との間に架設されてもよい。例えば、ブレース２５は、２本の鋼管柱１１，１５の間に対称に両側に設けられてもよく（図８の（ｂ）参照）、２本の鋼管柱１１，１５の間で交差して設けられてもよく（図８の（ｃ）参照）、２本の鋼管柱１１，１５の間に配置された鋼管柱１６と鋼管柱１１との間に交差して設けられてもよい（図８の（ｄ）参照）。本実施形態においては、２本の鋼管柱１１，１５の間にブレース２５が１か所にのみ設置されている（図８の（ａ）参照）。
【００２９】
次に、図３を参照して、鋼管柱１１、棟梁１７、及びブレース２５の構成について詳細に説明する。図３は、図１中の鋼管柱、棟梁、及びブレースを示す正面図である。
【００３０】
図３に示すように、鋼管柱１１は、柱本体部１２と、柱本体部１２の上端部１２ａに形成される柱頭部１３と、柱本体部１２の下端部１２ｂに形成される柱脚部１４と、を有している。柱本体部１２は、たとえば角形鋼管により形成されており、その断面は閉断面である。柱頭部１３は、上フランジ１３ａ及び下フランジ１３ｂの間を十字状のウェブ１３ｃにて連結して成り、その断面は十字形状の開断面である。柱頭部１３の下フランジ１３ｂは、柱本体部１２の上端部１２ａに溶接固定されている。
【００３１】
柱頭部１３のウェブ１３ｃには、溶接等によって接合部材３が取り付けられている。柱頭部１３は、この接合部材３を介して、棟梁１７の端部１７ａと固定されている。棟梁１７は、上フランジ１７ｆ及び下フランジ１７ｇの中央部分をウェブ１７ｅにて連結してなるＨ型鋼により形成されており、その断面はＨ形状の開断面である。接合部材３は、棟梁１７の端部１７ａにおいて、棟梁１７のウェブ１７ｅと面接触しており、ボルト等によって固定されている。
【００３２】
柱脚部１４は、上フランジ１４ａ及び下フランジ１４ｂの間を十字状のウェブ１４ｃにて連結して成り、その断面は十字形状の開断面である。柱脚部１４の上フランジ１４ａは、柱本体部１２の下端部１２ｂに固定されている。柱脚部１４の下半分（下フランジ１４ｂ側）は、モルタル等（不図示）に埋まっており、下部構造２ａの梁等に支持されている。なお、柱本体部１２、柱頭部１３、及び柱脚部１４の幅はそれぞれ略等しいものとみなすことができる。すなわち、鋼管柱１１の幅は略一定である。また、柱本体部１２、柱頭部１３、及び柱脚部１４の軸心は全て一致している。
【００３３】
鋼管柱１１の側面１１ｃには、柱本体部１２と柱脚部１４とに亘って位置するように、柱側接合片３１が突設されている。柱側接合片３１は、柱本体部１２の側面１２ｃに溶接固定されていると共に、柱脚部１４のウェブ１４ｃにＩ形突合せ溶接によって固定されている。すなわち、柱側接合片３１は、柱本体部１２と柱脚部１４とに亘って設けられて溶接固定されている。
【００３４】
ブレース２５は、ブレース本体部２６と、ブレース本体部２６の上端部２６ａに取り付けられる梁接合部２７と、を有している。ブレース本体部２６は、鋼管により形成されており、その断面は閉断面である。梁接合部２７は、上フランジ２７ａ及び下フランジ２７ｂの間を十字状のウェブ２７ｃにて連結して成り、その断面は十字形状の開断面である。梁接合部２７の下フランジ２７ｂは、ブレース本体部２６の上端部２６ａに固定されている。梁接合部２７の上フランジ２７ａは、棟梁１７の長さ方向中途部１７ｃにおいて、下フランジ１７ｇと面接触しており、ボルト等によって固定されている。なお、ブレース本体部２６及び梁接合部２７の幅はそれぞれ略等しいものとみなすことができる。すなわち、ブレース２５の幅は略一定である。また、ブレース本体部２６及び梁接合部２７の軸心は一致している。
【００３５】
ブレース本体部２６（鋼管）の下端部２６ｂには、ブレース側接合片３５が溶接固定されている。ブレース側接合片３５は、柱側接合片３１と固定されている。これにより、ブレース２５と鋼管柱１１とが接合されている。すなわち、鋼管柱１１の側面１１ｃとブレース２５の下端部２５ｂとに亘って、接合部３０が形成されている。
【００３６】
次に、図４及び図５を参照して、柱側接合片３１及びブレース側接合片３５の構成をそれぞれ詳細に説明する。図４の（ａ）及び（ｂ）は、柱側接合片周辺部の構成を示す図である。図５の（ａ）及び（ｂ）は、ブレース側接合片周辺部の構成を示す図である。
【００３７】
図４の（ａ）は、柱側接合片３１周辺部を、図３の柱本体部１２の側面１２ｃと直交する面側から見た図である。図４の（ｂ）は、柱側接合片３１周辺部を、図２の柱本体部１２の側面１２ｃ側から見た図である。図４の（ａ）及び（ｂ）に示すように、柱側接合片３１は、接合板部３２と、補強部３３と、を含んでいる。接合板部３２は、板状部材であり、鋼管柱１１の側面１１ｃの幅方向中央となる位置に立設されている。すなわち、接合板部３２は、柱本体部１２の側面１２ｃの幅方向中央となる位置Ｇに立設されている。接合板部３２は、当該位置Ｇで、柱本体部１２の軸心Ｐ１に沿って延在している。接合板部３２は、柱本体部１２及び柱脚部１４に亘って位置している。接合板部３２の上端部３２ｅは、柱本体部１２上に位置しており、接合板部３２の下端部３２ｆは、柱脚部１４上に位置している。接合板部３２には、接合板部３２の表面３２ａから裏面３２ｂまでを貫通するボルト孔３２ｈ，３２ｉが形成されている。
【００３８】
接合板部３２は、長方形状の板部材の一部を斜め状に切り落とした形状を呈しており、傾斜端面３２ｃと、水平端面３２ｄと、を有している。傾斜端面３２ｃは、接合板部３２の上端部３２ｅから下端部３２ｆに向かって下り勾配状に、鋼管柱１１の軸心Ｐ１に対して傾斜している。水平端面３２ｄは、柱本体部１２から柱脚部１４にわたって、鋼管柱１１の軸心Ｐ１に対して略平行に位置している。水平端面３２ｄは、補強部３３と、柱脚部１４の上フランジ１４ａとに溶接固定されている。
【００３９】
補強部３３は、長方形状の板状部材である。補強部３３の幅Ｗ１は、柱本体部１２の幅Ｗ２に比して小さく、その幅方向中央の位置が柱本体部１２の軸心Ｐ１と一致している。すなわち、補強部３３は、柱本体部１２の幅Ｗ２内に納まるように位置している。補強部３３の表面３３ａは、接合板部３２の水平端面３２ｄに溶接固定されている。補強部３３の裏面３３ｂは、柱本体部１２の側面１２ｃに溶接固定されている。柱本体部１２の厚みは、補強部３３が柱本体部１２に固定されている分だけ増している。
【００４０】
図５の（ａ）は、ブレース側接合片３５周辺部を、図２のブレース本体部２６の側面２６ｃと直交する面側から見た図である。図５の（ｂ）は、ブレース側接合片３５周辺部を、図２のブレース本体部２６の側面２６ｃ側から見た図である。図５の（ａ）及び（ｂ）に示すように、ブレース本体部２６は、所定の幅Ｗ３の鋼管柱である。この幅Ｗ３は、柱本体部１２の幅Ｗ２よりも小さい。ブレース本体部２６の下端部２６ｂには、ブレース本体部２６の軸心Ｐ２に対して線対称となる位置に切欠き部２６ｅ及び切欠き部２６ｆが一対形成されている。当該一対の切欠き部２６ｅ，２６ｆには、ブレース側接合片３５が貫入されている。
【００４１】
ブレース側接合片３５は、第１対向面部３６と、第２対向面部３７と、を含んでいる。第１対向面部３６と第２対向面部３７とは略平行に対向している。第１対向面部３６及び第２対向面部３７は、それぞれ貫入部３６ａ，３７ａと、延在部３６ｂ，３７ｂと、を含んでいる。貫入部３６ａ，３７ａは、所定の溶接長３５ｄとなるよう形成され、ブレース本体部２６の一対の切欠き部２６ｅ，２６ｆに貫入されて溶接固定されている。延在部３６ｂ，３７ｂは、ブレース本体部２６の軸心Ｐ２に沿って、ブレース本体部２６の下端部２６ｂより突出して延在している。延在部３６ｂ，３７ｂは、先端部に向かって徐々に幅が小さくなっており、当該先端部は丸められている。延在部３６ｂには、ボルト孔３６ｈ，３６ｉが形成されている。ボルト孔３６ｈ，３６ｉは、ブレース本体部２６の軸心Ｐ２に一致するように配置されている。なお、図示はしていないが、延在部３７ｂにも、ボルト孔３６ｈ，３６ｉに対応する２つのボルト孔が形成されている。
【００４２】
次に、図６及び図７を参照して、図４の柱側接合片３１と、図５のブレース側接合片３５とが互いに接合された状態の構成を詳細に説明する。図６は、図３の接合部３０を詳細に説明する平面図である。図７は、図６に示す矢印Ｘ方向から見た平面図である。
【００４３】
図６及び図７に示すように、柱側接合片３１の接合板部３２は、鋼管柱１１の側面１１ｃに突設され、鋼管柱１１（すなわち柱本体部１２）の軸心Ｐ１に沿って上下に延在している。接合板部３２は、柱本体部１２の側面１２ｃの幅方向中央となる位置Ｇ（鋼管柱１１の側面１１ｃの幅方向中央となる位置）で、ブレース側接合片３５を受けている。ブレース側接合片３５は、第１対向面部３６及び第２対向面部３７で挟み込むようにして、接合板部３２を受けている。
【００４４】
第１対向面部３６と第２対向面部３７との間には、接合板部３２が差し込まれている。第１対向面部３６は、接合板部３２の表面３２ａと対向している。第２対向面部３７は、接合板部３２の裏面３２ｂと対向している。この状態で、接合板部３２とブレース側接合片３５とは、ボルト４及びボルト５によって固定されている。ボルト４は、接合板部３２のボルト孔３２ｈと、第１対向面部３６のボルト孔３６ｈ（及び対応する第２対向面部３７のボルト孔）とに挿通されている。ボルト５は、接合板部３２のボルト孔３２ｉと、第１対向面部３６のボルト孔３６ｉ（及び対応する第２対向面部３７のボルト孔）とに挿通されている。このようにして、鋼管柱１１の側面１１ｃと、ブレース本体部２６の下端部２６ｂに亘って、柱側接合片３１及びブレース側接合片３５を含む接合部３０が形成されている。
【００４５】
柱脚部１４の下半分はモルタル等によって埋まるので、柱側接合片３１及びブレース側接合片３５は、柱脚部１４のモルタル等によって埋められた部分よりも上方に位置している。すなわち、接合部３０は、柱本体部１２の軸心Ｐ１と、柱脚部１４に接合される梁（下部構造）の軸心（不図示）との交点よりも上方に位置している。それにもかかわらず、ブレース本体部２６の軸心Ｐ２は、柱本体部１２の軸心Ｐ１と、柱脚部１４に接合される梁（下部構造）の軸心（不図示）との交点を通過している。
【００４６】
図７に示すように、柱本体部１２の側面１２ｃ側から見ると、柱本体部１２の軸心Ｐ１と、ブレース本体部２６の軸心Ｐ２とは、一致している。柱本体部１２の側面１２ｃ側から見た幅（軸心Ｐ１，Ｐ２に直交する方向の長さ）を比較すると、柱側接合片３１の幅（即ち、補強部３３の幅Ｗ１）は、柱本体部１２の幅Ｗ２よりも小さい。ブレース側接合片３５の幅Ｗ４は、柱本体部１２の幅Ｗ２よりも小さい。つまり、接合部３０（柱側接合片３１及びブレース側接合片３５）の幅は、柱本体部１２の幅Ｗ２よりも小さい。したがって、接合部３０は、柱本体部１２の幅Ｗ２の範囲に収まっており、柱本体部１２の側面１２ｃ側から見て柱本体部１２よりも大きな構造となることがない。
【００４７】
次に、図８を参照して、本実施形態に係る架構構造１のブレース２５が一か所だけ設置されていることによる効果について説明する。図８は、種々の架構構造の特徴を示す模式図である。図８の（ａ）は、本発明の上記実施形態に係る架構構造１を示している。図８の（ｂ）〜（ｄ）は、本発明の変形例に係る架構構造を示している。
【００４８】
図８の（ｂ）に示す変形例に係る架構構造６１では、ブレース２５が、２本の鋼管柱１１，１５の間に対称に両側に設けられている。図８の（ｃ）に示す変形例に係る架構構造６２では、ブレース２５が、２本の鋼管柱１１，１５の間で交差して設けられている。図８の（ｄ）に示す変形例に係る架構構造６３では、ブレース２５が、２本の鋼管柱１１，１５の間に配置された鋼管柱１６と鋼管柱１１との間に交差して設けられている。図８の（ｅ）に示す架構構造１００は、いわゆるラーメン架構構造であり、ブレース２５が設けられていない。
【００４９】
図８に示すように、本発明の変形例に係る架構構造６１，６２，６３によれば、従来の架構構造１００に比して、鋼管柱１１，１５，１６及び棟梁１７の断面を小さく設計することができる。一方、本発明の上記実施形態に係る架構構造１によれば、鋼管柱１１，１５の断面を従来の架構構造１００に比して小さく設計することができ、また、本実施形態に係る架構構造１は建物の最上階における屋根架構構造であって、負担荷重が大きくないので、棟梁１７の断面も従来の架構構造１００に比して小さく設計することができる。さらに、本実施形態に係る架構構造１によれば、ブレース２５が設けられているのが１か所だけなので、鋼管柱１１，１５の間における開口の自由度を高めることができるとともに、下部構造２ａへの影響も抑制することができる。
【００５０】
以上、本実施形態に係る架構構造１によれば、接合部３０の幅が、鋼管柱１１の柱本体部１２の幅Ｗ２よりも小さいので、鋼管柱１１の周りの構造が、当該接合部３０の存在によって鋼管柱１１の幅Ｗ２よりも大きなものとなることを回避することができる。その結果、当該接合部３０の存在による見栄え及び間取りに悪影響を与えることなくブレース２５を接合することができる。
【００５１】
また、接合部３０は、鋼管柱１１の側面１１ｃに突設される柱側接合片３１と、ブレース２５の下端部２５ｂに取り付けられるブレース側接合片３５と、を有し、柱側接合片３１及びブレース側接合片３５のうち、柱側接合片３１が板状に形成され、ブレース側接合片３５は、柱側接合片３１の表面３２ａに対向する第１対向面部３６と、柱側接合片３１の裏面３２ｂに対向する第２対向面部３７と、を含んでいる。このため、板状の柱側接合片３１が、ブレース側接合片３５の第１対向面部３６及び第２対向面部３７と対向しているので、柱側接合片３１は、面に対して垂直な方向の変形に対し両面側から等しく拘束を受けるものとなる。よって、表面３１ａ側及び裏面３２ｂ側のいずれの方向からの面外力（面に対し垂直に貫く力）に対しても十分に抵抗可能となる。
【００５２】
また、一方の接合片は柱側接合片３１であり、他方の接合片はブレース側接合片３５であり、柱側接合片３１は、鋼管柱１１の側面１１ｃの幅方向中央となる位置で鋼管柱１１（柱本体部１２）の軸心Ｐ１に沿って上下に延在する接合板部３２を含んでいる。このため、鋼管柱１１の側面１１ｃの幅方向中央となる位置で、ブレース側接合片３５を受けることができるので、鋼管柱１１とブレース２５との間での荷重伝達に偏芯がない。
【００５３】
また、鋼管柱１１は、閉断面の鋼管により形成される柱本体部１２と、柱本体部１２の下端部１２ｂに形成される開断面の柱脚部１４と、を有し、柱側接合片３１は、柱本体部１２と柱脚部１４とに亘って設けられて溶接固定されている。このため、柱側接合片３１は、柱本体部１２及び柱脚部１４のいずれにも溶接固定されているので、柱側接合片３１の上端部（接合板部３２の上端部３２ｅ）から下端部（接合板部３２の下端部３２ｆ）に亘って鋼管柱１１との間で荷重伝達を行うことができる。特に、柱側接合片３１は開断面の柱脚部１４にも溶接固定されているので、柱脚部１４への荷重伝達を確実なものとすることができる。
【００５４】
また、柱側接合片３１は、柱本体部１２の側面１２ｃに溶接固定される板状の補強部３３を含んでおり、接合板部３２は、補強部３３に固定されている。よって、補強部３３によって鋼管柱１１における荷重伝達部の厚みが増大するため、鋼管柱１１の孕みを抑制することが可能となる。
【００５５】
また、ブレース２５は、ブレース本体部２６と、ブレース本体部２６の上端部２６ａに取り付けられる梁接合部２７と、を有し、ブレース本体部２６は鋼管により形成されており、鋼管（ブレース本体部２６）の下端部２６ｂにブレース側接合片３５が溶接固定されている。よって、ブレース本体部２６が鋼管により形成されていることにより、引張に対してのみならず、圧縮に対しても抵抗することができる。その結果、全体座屈し難いものとなり、ブレースとしての性能が向上する。
【００５６】
また、ブレース本体部２６の下端部２６ｂには、ブレース本体部の軸心に対して線対称となる位置に一対の切欠き部２６ｅ，２６ｆが形成され、一対の切欠き部２６ｅ，２６ｆにブレース側接合片３５が貫入した状態で溶接固定されている。このため、ブレース側接合片３５の溶接長３５ｄを確保することができる。その結果、ブレース本体部２６とブレース側接合片３５との接合強度を確保でき、ブレース本体部２６とブレース側接合片３５との荷重伝達をスムーズにすることが可能となる。
【００５７】
また、２本の鋼管柱１１，１５の間にブレースが１か所にのみ設置されているので、鋼管柱１１，１５及び棟梁１７の断面を小さく設計することが可能であり、かつ、鋼管柱１１，１５の間における開口の自由度を高めることができるとともに、下部構造２ａへの影響も抑制することができる。
【００５８】
また、ブレース２５は、鋼管柱１１，１５と棟梁１７との間に架設されており、架構構造１を屋根架構構造として用いることが可能である。
【００５９】
以上、本発明の好適な実施形態について説明したが、本発明は上記実施形態に限定されるものではなく、各請求項に記載した要旨を変更しない範囲で変形し、又は他のものに適用したものであってもよい。
【００６０】
例えば、上記実施形態においては、柱側接合片及びブレース側接合片のうち、柱側接合片が板状に形成され、ブレース側接合片が第１対向面部及び第２対向面部を含んでいるとしたが、これに限られない。例えば、柱側接合片が第１対向面部及び第２対向面部を含み、ブレース側接合片が板状に形成されているとしてもよい。
【００６１】
上記実施形態においては、鋼管柱１１の断面形状は閉断面としたが、これに限られず、開断面であってもよい。なお、断面性能の観点では、閉断面のものが好ましい。また、鋼管柱１５の断面形状についても、鋼管柱１１と同様、閉断面及び開断面のいずれでもよい。
【００６２】
上記実施形態においては、架構構造１は例えば屋上に設けられたユニットに用いられる屋根架構構造としたが、これに限られず、架構構造１は、例えば屋上でない途中階等において用いられてもよい。また、屋根架構構造でない場合において、棟梁１７は棟梁ではなく単なる梁であってもよい。
【符号の説明】
【００６３】
１，６１，６２，６３…架構構造、１１，１５，１６…鋼管柱（鋼柱）、１１ｃ…側面、１２…柱本体部、１４…柱脚部、１７…棟梁（梁）、２５…ブレース、２５ｂ…下端部、２６…ブレース本体部、２６ｂ…下端部、２６ｅ，２６ｆ…切欠き部、２７…梁接合部、３０…接合部、３１…柱側接合片、３２…接合板部、３３…補強部、３５…ブレース側接合片、３６…第１対向面部、３７…第２対向面部、Ｐ１，Ｐ２…軸心。
【図１】
2015108242.tif 000003
【図２】
2015108242.tif 000004
【図３】
2015108242.tif 000005
【図４】
2015108242.tif 000006
【図５】
2015108242.tif 000007
【図６】
2015108242.tif 000008
【図７】
2015108242.tif 000009
【図８】
2015108242.tif 000010